(57)【要約】【課題】  車椅子に載った身体障害者や背の低い子供などでも収納品の取出しや収納を容易とする簡潔構造の昇降引出し式戸棚を提供すること。【解決手段】  本発明の昇降引出し式戸棚は、下側が開口した戸棚ケース１０と、戸棚ケース１０に収納され、垂直方向にスライド可能の昇降ケース２０と、昇降ケース２０に収納され、斜め下方にスライド可能の収納ボックス３０とを備え、ベルトまたはワイヤ４１が、戸棚ケース１０の内側の上面に取付けられた巻取りローラ５２に一端を固定され、昇降ケース２０の上面に取付けられたガイドローラ５５に掛けられ、昇降ケース２０の上面に明けられたベルト挿通穴２０ａを通り収納ボックス３０の上面に他端を係止される駆動機構５０により、昇降ケース２０が下降したとき、収納ボックス３０を斜め下方にスライド移動させることとした。【選択図】  図１
2007050218.tif 000002
【特許請求の範囲】
【請求項１】
下側が開口した戸棚ケースと、前記戸棚ケースに収納され、垂直方向にスライド可能の昇降ケースと、前記昇降ケースに収納され、斜め下方にスライド可能の収納ボックスとを備え、ベルトまたはワイヤが、前記戸棚ケースの内側の上面に取付けられた巻取りローラに一端を固定され、前記昇降ケースの上面に取付けられたガイドローラに掛けられ、前記昇降ケースの上面に明けられたベルト挿通穴を通り前記収納ボックスの上面に他端を係止される駆動機構により、前記昇降ケースが下降したとき、前記収納ボックスを前記斜め下方にスライド移動させることを特徴とする昇降引出し式戸棚。
【請求項２】
前記ベルトまたはワイヤは、前記巻取りローラに一端を固定されたあとに、前記昇降ケースの上面に別途取付けられたガイドローラと、前記戸棚ケースの内側の上面に別途取付けられたガイドローラとに掛けられてから、前記昇降ケースの上面に取付けられた前記ガイドローラに掛けられることを特徴とする請求項１に記載の昇降引出し式戸棚。
【請求項３】
前記ベルトまたはワイヤは、前記昇降ケースの上面に明けられた前記ベルト挿通穴を通ったあとに、前記収納ボックスの上面に別途取付けられたガイドローラで折返されて前記戸棚ケースの下面に固定されることを特徴とする請求項１または請求項２に記載の昇降引出し式戸棚。
【請求項４】
前記昇降ケースが下降したとき、前記昇降ケースに収納された前記収納ボックスの前面を開口する扉を設けることを特徴とする請求項１から請求項３のいずれか１項に記載の昇降引出し式戸棚。
【発明の詳細な説明】
【技術分野】
【０００１】  本発明は、戸棚ケースに収納した収納ボックスを昇降させるとともに前方に引出し、収納品の取出しや収納を容易とする簡潔構造の昇降引出し式戸棚に関する。
【背景技術】
【０００２】  従来の戸棚には、戸棚ケースを台所の壁面上部などに設置し、モータ駆動によりワイヤを巻取り巻戻しすることにより、戸棚ケースに収納した収納ボックスを戸棚ケースの下側まで昇降可能にした昇降式戸棚がある（例えば、特許文献１参照）。【０００３】
【特許文献１】      特開２００１−１１４４９７
【発明の開示】
【発明が解決しようとする課題】
【０００４】  しかしながら、従来の昇降式戸棚は、戸棚ケースに収納した収納ボックスを下降したとき、大人にとっては戸棚の中のものの取出しや収納ができる位置にはなるが、車椅子に載った身体障害者や背の低い子供などは、納品品の取出しや収納が困難であるという問題があった。
そのため、戸棚ケースに収納した収納ボックスを下降するとともに下降した戸棚をさらに電動モータの機構により前方に引出すことも考えられるが、構造が複雑になるという問題があった。
本発明は、上記に鑑みてなされたものであって、戸棚ケースに収納した収納ボックス戸棚を昇降させるとともに前方に引出し、車椅子に載った身体障害者や背の低い子供などでも収納品の取出しや収納を容易とする簡潔構造の昇降引出し式戸棚を提供することを目的とする。
【課題を解決するための手段】
【０００５】  本発明の昇降引出し式戸棚は、下側が開口した戸棚ケースと、前記戸棚ケースに収納され、垂直方向にスライド可能の昇降ケースと、前記昇降ケースに収納され、斜め下方にスライド可能の収納ボックスとを備え、ベルトまたはワイヤが、前記戸棚ケースの内側の上面に取付けられた巻取りローラに一端を固定され、前記昇降ケースの上面に取付けられたガイドローラに掛けられ、前記昇降ケースの上面に明けられたベルト挿通穴を通り前記収納ボックスの上面に他端を係止される駆動機構により、前記昇降ケースが下降したとき、前記収納ボックスを前記斜め下方にスライド移動させることとした。
また、前記ベルトまたはワイヤは、前記巻取りローラに一端を固定されたあとに、前記昇降ケースの上面に別途取付けられたガイドローラと、前記戸棚ケースの内側の上面に別途取付けられたガイドローラとに掛けられてから、前記昇降ケースの上面に取付けられた前記ガイドローラに掛けられることとした。
また、前記ベルトまたはワイヤは、前記昇降ケースの上面に明けられた前記ベルト挿通穴を通ったあとに、前記収納ボックスの上面に別途取付けられたガイドローラで折返されて前記戸棚ケースの下面に固定されることとした。
さらに、前記昇降ケースが下降したとき、前記昇降ケースに収納された前記収納ボックスの前面を開口する扉を設けることとした。
【発明の効果】
【０００６】  本発明の昇降引出し式戸棚は、下側が開口した戸棚ケースと、前記戸棚ケースに収納され、垂直方向にスライド可能の昇降ケースと、前記昇降ケースに収納され、斜め下方にスライド可能の収納ボックスとを備え、ベルトまたはワイヤが、前記戸棚ケースの内側の上面に取付けられた巻取りローラに一端を固定され、前記昇降ケースの上面に取付けられたガイドローラに掛けられ、前記昇降ケースの上面に明けられたベルト挿通穴を通り前記収納ボックスの上面に他端を係止される駆動機構により、前記昇降ケースが下降したとき、前記収納ボックスを前記斜め下方にスライド移動させることとしたため、昇降動作と、斜め下方のスライド移動動作とを簡潔構造で円滑に行うことができ、車椅子に載った身体障害者や背の低い子供などでも収納品の取出しや収納を容易に行うことができる。また、ベルトの取付作業は、前面側から行うことができるため組立作業を容易とすることもできる。
また、前記ベルトまたはワイヤは、前記巻取りローラに一端を固定されたあとに、前記昇降ケースの上面に別途取付けられたガイドローラと、前記戸棚ケースの内側の上面に別途取付けられたガイドローラとに掛けられてから、前記昇降ケースの上面に取付けられた前記ガイドローラに掛けられることとしたため、ベルトまたはワイヤによる垂直方向の牽引力を容易に増加することができる。
また、前記ベルトまたはワイヤは、前記昇降ケースの上面に明けられた前記ベルト挿通穴を通ったあとに、前記収納ボックスの上面に別途取付けられたガイドローラで折返されて前記戸棚ケースの下面に固定されることとしたため、収納ボックスのスライド移動の牽引力を増すことができる。
さらに、前記昇降ケースが下降したとき、前記昇降ケースに収納された前記収納ボックスの前面を開口する扉を設けることとしたため、収納ボックスを下端まで下降させた状態でも使用することができ、ユーザの要望に応じた形態で使用することができる。
【発明を実施するための最良の形態】
【０００７】  以下、本発明の実施の形態の昇降引出し式戸棚につき図を用いて説明する。
【実施例１】
【０００８】  図１は、本発明の第１の実施の形態の昇降引出し式戸棚の分解斜視図を示し、図１（ａ）は、戸棚ケースの斜視図を示し、図１（ｂ）は、戸棚ケースに収納される昇降ケースの斜視図を示し、図１（ｃ）は、昇降ケースに収納される収納ボックスの斜視図を示す。
図１（ａ）に示すように、戸棚ケース１０は、下側が開口し、下方に流し台などが設置された壁面の上方に取付けられる。また、戸棚ケース１０には、通常は閉じているが、収納ボックス３０が斜め下方にスライド移動したとき開く開閉扉１１が設けられている。
図１（ｂ）に示すように、昇降ケース２０は、前面側Ｆと後面側Ｒのそれぞれのコーナに合計４個のスライダ２１が垂直方向に取り付けられ、合計４個のスライダ２１を介して戸棚ケース１０の内側に取付けられ、スライダ２１によりガイドされ垂直方向にスライド昇降することができる。
図１（ｃ）に示すように、収納ボックス３０は、それぞれの側面側に斜め下方に向けスライダ３１が取付けられており、スライダ３１を介して昇降ケース２０の内側に取付けられ、スライダ３１によりガイドされ斜め下方にスライドすることができる。
本発明の第１の実施の形態の昇降引出し式戸棚は、下側が開口した戸棚ケース１０と、戸棚ケース１０の内側に取付けられ、垂直方向にスライド可能の昇降ケース２０と、昇降ケース２０の内側に取付けられ、斜め下方にスライド可能の収納ボックス３０とで構成され、さらに、図２に示す駆動機構５０により、昇降ケース２０と収納ボックス３０との駆動が行われる。駆動機構５０は、モータ駆動によりベルトを巻取り巻戻し、昇降ケース２０を矢印Ｄに示すように昇降させるとともに、昇降ケース２０が下降したとき、さらに、ベルトの巻戻しにより収納ボックス３０を矢印Ｚに示すようにスライダ３１に沿って斜め下方にスライド移動させることができる。【０００９】  図２は、本発明の第１の実施の形態の昇降引出し式戸棚に設けられる駆動機構の斜視図を示す。
図２に示すように、駆動機構５０は、図１に示す戸棚ケース１０の内側上面の前面側Ｆに駆動モータ５１が取付けられ、駆動モータ５１は、ＤＣモータ５１ａと、ＤＣモータ５１ａの回転数を減速しトルクを増大する減速器５１ｂとにより構成され、減速器５１ｂに回転軸５８が連結している。一方の回転軸５８ａには巻取りローラ５２が取付けられ、第１のガイドローラ５３が昇降ケース２０の上面に取付けられ、第２のガイドローラ５４が戸棚ケース１０の内側上面の後面側Ｒに取付けられ、第３のガイドローラ５５が昇降ケース２０の上面に取付けられ、第４のガイドローラ５６が収納ボックス３０の上面に取付けられている。【００１０】  ベルト４１は、巻取りローラ５２に一方の端部が固定され、第１のガイドローラ５３、第２のガイドローラ５４、第３のガイドローラ５５に掛けられ、第３のガイドローラ５５から昇降ケース２０の上面に明けられた図１に示すベルト挿通穴２０ａを通り第４のガイドローラ５６で折返されて他方の端部が昇降ケース２０の下面に取付けられたピン５７に固定されている。他方の回転軸５８ｂにも同様にベルトが、巻取りローラと、ガイドローラとに掛けられている。
駆動モータ５１は、上昇スイッチ５９ａと下降スイッチ５９ｂとを有する壁面などに設けられる操作スイッチ５９に接続し、上昇スイッチ５９ａが操作されると正転作動し、巻取りローラ５２がベルト４１を巻取り、下降スイッチ２９ｂが操作されると逆転作動し、巻取りローラ５２を逆転回動させ巻取りローラ５２に巻かれているベルト４１は巻戻される。
操作スイッチ５９が操作され、駆動モータ５１が駆動して回転軸５８が回動すると、巻取りローラ５２によりベルト４１の巻取り巻戻しが行われ、昇降ケース２０を昇降するとともに、昇降ケース２０が下降したときには、さらに、ベルト４１の巻戻しにより収納ボックス３０を斜め下方にスライド移動することができる。【００１１】  図３は、本発明の第１の実施の形態の昇降引出し式戸棚の駆動機構の動作図を示し、図３（ａ）は、戸棚ケースに昇降ケースと収納ボックスが上方に収納されたときを示し、図３（ｂ）は、昇降ケースが下降したときを示し、図３（ｃ）は、収納ボックスが斜め下方にスライド移動し外側に引出されたときを示す。
図３（ａ）に示すように、操作スイッチ５９の上昇スイッチ５９ａが操作されたときには、戸棚ケース１０の内側上面に取付けられた駆動モータ５１が作動して巻取りローラ５２が巻取り方向に回動し、巻取りローラ５２に一方の端部が固定され第１のガイドローラ５３、第２のガイドローラ５４、第３のガイドローラ５５、第４のガイドローラ５６に掛けられ、ピン５７で他方の端部が固定されたベルト４１が巻取られて昇降ケース２０が上昇し、収納ボックス３０は、戸棚ケース１０に収納されている。
図３（ｂ）に示すように、操作スイッチ５９の下降スイッチ５９ｂが操作されたときには、駆動モータ５１が作動して巻取りローラ５２が巻戻し方向に回動し、ベルト４１が巻戻されて昇降ケース２０は下限まで下降するが、まだ収納ボックス３０は、戸棚ケース１０に収納されている。
図３（ｃ）に示すように、スライダ３１は、昇降ケース２０の内側に取付けられるガイドレール３１ａと、ガイドレール３１ａに内装され収納ボックス３０の外側に取付けられるスライドレール３１ｂとで構成され、昇降ケース２０が下限まで下降し駆動モータ５１が引き続き巻戻し方向に回動し、第４のガイドローラ５６に掛けたれたベルト４１が緩められると、収納ボックス３０は、スライダ３１に沿って斜め下方にスライド移動する。このとき、収納ボックス３０の斜め下方へのスライド移動により、図１に示す開閉扉１１は開口する。【００１２】  以上述べたように、本発明の第１の実施の形態の昇降引出し式戸棚は、戸棚ケース１０に収納された昇降ケース２０が下降したとき、昇降ケース２０の内側に設けられた収納ボックス３０が引出され、簡潔構造で、車椅子に載った身体障害者や背の低い子供などでも戸棚の中のものの取出しや収納を容易とすることができ、また、ベルトを取付ける作業は、すべて前側から行うことができるため組立作業を容易とすることができる。
【実施例２】
【００１３】  図４は、本発明の第２の実施の形態の昇降引出し式戸棚に設けられる駆動機構の斜視図を示す。
本発明の第２の実施の形態の昇降引出し式戸棚は、本発明の第１の実施の形態の昇降引出し式戸棚で使用した戸棚ケース１０と、下昇降ケース２０と、収納ボックス３０と同一のものを使用する。
図４に示すように、駆動機構６０は、戸棚ケース１０の内側上面の前面側Ｆに駆動モータ６１が取付けられ、駆動モータ６１は、ＤＣモータ６１ａと、ＤＣモータ６１ａの回転数を減速しトルクを増大する減速器６１ｂとにより構成され、減速器６１ｂに回転軸６８が連結している。一方の回転軸６８ａには巻取りローラ６２が取付けられ、第１のガイドローラ６３が昇降ケース２０の上面に取付けられ、第２のガイドローラ６４が戸棚ケース１０の内側上面の後面側Ｒに取付けられ、第３のガイドローラ６５が昇降ケース２０の上面に取付けられている。【００１４】  ベルト４２は、巻取りローラ６２に一方の端部が固定され、第１のガイドローラ６３、第２のガイドローラ６４、第３のガイドローラ６５に掛けられ、第３のガイドローラ６５から昇降ケース２０の上面に明けられたベルト挿通穴２０ａを通り収納ボックス３０の上面に取付けられたピン４３に固定されている。他方の回転軸６８ｂにも同様にベルトが、巻取りローラと、ガイドローラとに掛けられている。
駆動モータ６１は、上昇スイッチ５９ａと下降スイッチ５９ｂとを有する壁面などに設けられる操作スイッチ５９に接続し、上昇スイッチ５９ａが操作されると正転作動し、巻取りローラ６２がベルト４２を巻取り、下降スイッチ５９ｂが操作されると逆転作動し、巻取りローラ６２を逆転回動させ巻取りローラ５２に巻かれているベルト４２は巻戻される。
操作スイッチ５９が操作され、駆動モータ６１が駆動して回転軸６８が回動すると、巻取りローラ６２によりベルト４２の巻取り巻戻しが行われ、昇降ケース２０を昇降するとともに、昇降ケース２０が下降したときには、さらに、ベルト４２の巻戻しにより収納ボックス３０を斜め下方にスライド移動することができる。
操作スイッチ５９の上昇スイッチ５９ａが操作されたときには、駆動モータ５１が作動して巻取りローラ６２が巻取り方向に回動し、巻取りローラ６２に一方の端部が固定され第１のガイドローラ６３、第２のガイドローラ６４、第３のガイドローラ６５に掛けられ、ピン４３で他方の端部が固定されたベルト４２が巻取られて昇降ケース２０が上昇し、収納ボックス３０は、戸棚ケース１０に収納される。
操作スイッチ５９の下降スイッチ５９ｂが操作されたときには、駆動モータ６１が作動して巻取りローラ６２が巻戻し方向に回動し、ベルト４２が巻戻されて昇降ケース２０は下限まで下降し、駆動モータ６１が引き続き巻戻し方向に回動すると、ピン４３で他方の端部が固定されたベルト４２が緩められ、収納ボックス３０は、スライダ３１（図３参照）に沿って斜め下方にスライド移動する。【００１５】  以上述べたように、本発明の第２の実施の形態の昇降引出し式戸棚は、戸棚ケース１０に収納された昇降ケース２０が下降したとき、昇降ケース２０の内側に設けられた収納ボックス３０が引出され、さらに簡潔構造で、車椅子に載った身体障害者や背の低い子供などでも戸棚の中のものの取出しや収納を容易とすることができ、また、ベルトの取付作業は、すべて前側から行うことができるため組立作業を容易とすることができる。
【実施例３】
【００１６】  図５は、本発明の第３の実施の形態の昇降引出し式戸棚に設けられる駆動機構の斜視図を示す。
本発明の第３の実施の形態の昇降引出し式戸棚は、本発明の第１の実施の形態の昇降引出し式戸棚で使用した戸棚ケース１０と、下昇降ケース２０と、収納ボックス３０と同一のものを使用する。
図５に示すように、駆動機構７０は、戸棚ケース１０の内側上面の前面側Ｆに駆動モータ７１が取付けられ、駆動モータ７１は、ＤＣモータ７１ａと、ＤＣモータ７１ａの回転数を減速しトルクを増大する減速器７１ｂとにより構成され、減速器７１ｂに回転軸７８が連結している。一方の回転軸７８ａには巻取りローラ７２が取付けられ、第１のガイドローラ７５が昇降ケース２０の上面の後方側Ｒに取付けられている。【００１７】  ベルト４４は、巻取りローラ７２に一方の端部が固定され、第１のガイドローラ７５に掛けられ、第２のガイドローラから昇降ケース２０の上面に明けられたベルト挿通穴２０ａを通り収納ボックス３０の上面に取付けられたピン４５に固定されている。他方の回転軸７８ｂにも同様にベルトが、巻取りローラと、ガイドローラとに掛けられている。
駆動モータ５１は、上昇スイッチ５９ａと下降スイッチ５９ｂとを有する壁面などに設けられる操作スイッチ５９に接続し、上昇スイッチ５９ａが操作されると正転作動し、巻取りローラ７２がベルト４４を巻取り、下降スイッチ５９ｂが操作されると逆転作動し、巻取りローラ７２を逆転回動させ巻取りローラ７２に巻かれているベルト４４は巻戻される。
操作スイッチ５９が操作され、駆動モータ７１が駆動して回転軸７８が回動すると、巻取りローラ７２によりベルト４４の巻取り巻戻しが行われ、昇降ケース２０を昇降するとともに、昇降ケース２０が下降したときには、さらに、ベルト４４の巻戻しにより収納ボックス３０を斜め下方にスライド移動することができる。
操作スイッチ５９の上昇スイッチ５９ａが操作されたときには、駆動モータ７１が作動して巻取りローラ７２が巻取り方向に回動し、巻取りローラ７２に一方の端部が固定され第１のガイドローラ７５に掛けられ、ピン４５で他方の端部が固定されたベルト４４が巻取られて昇降ケース２０が上昇し、収納ボックス３０は、戸棚ケース１０に収納される。
操作スイッチ５９の下降スイッチ５９ｂが操作されたときには、駆動モータ７１が作動して巻取りローラ７２が巻戻し方向に回動し、ベルト４４が巻戻されて昇降ケース２０は下限まで下降し、駆動モータ７１が引き続き巻戻し方向に回動すると、ピン４５で他方の端部が固定されたベルト４４が緩められ、収納ボックス３０は、スライダ３１（図３参照）に沿って斜め下方にスライド移動する。【００１８】  以上述べたように、本発明の第３の実施の形態の昇降引出し式戸棚は、戸棚ケース１０に収納された昇降ケース２０が下降したとき、昇降ケース２０の内側に設けられた収納ボックス３０が引出され、さらに簡潔構造で、車椅子に載った身体障害者や背の低い子供などでも戸棚の中のものの取出しや収納を容易とすることができ、また、ベルトの取付作業は、すべて前側から行うことができるため組立作業を容易とすることができる。
なお、本発明の第３の実施の形態の昇降引出し式戸棚は、昇降ケース２０の上面に明けられたベルト挿通穴２０ａを通ったあとに、収納ボックス３０の上面に取付けるガイドローラで折返して戸棚ケース２０の下面に固定することもでき、収納ボックス３０のスライド移動の牽引力を増すことができる。
【実施例４】
【００１９】  図６は、本発明の第４の実施の形態の昇降引出し式戸棚に設けられるスライド扉とスライド扉駆動機構の側面図を示す。
本発明の第４の実施の形態の昇降引出し式戸棚は、通常は閉じているが、昇降ケース２０が下降したとき、垂直方向にスライドして昇降ケース２０に収納された収納ボックス３０の前面を開口するスライド扉８１を設けたものである。
図６に示すように、スライド扉８１は、垂直方向にスライド可能に戸棚ケース１０に取付けられている。また、スライド扉８１を駆動するスライド扉駆動機構８０は、戸棚ケース１０の内側上面に回転自在に取付けられたガイドローラ８２と、ガイドローラ８１に掛けられ、一方の端部がベルト固定部８３により昇降ケース２０の上端に固定され、他方の端部がスライド扉８１の上端に固定されたベルト８４により構成され、２個のスライド扉駆動機構８０を平行に設置する。
駆動機構５０により、昇降ケース２０が下降するとき、ベルト８４の一方の端部がベルト固定部８３により昇降ケース２０の上端に固定されているため、ベルト８４の他方の端部が上端に固定されたスライド扉８１が垂直方向に上昇し、昇降ケース２０が下端まで下降するとスライド扉８１は、昇降ケース２０に収納された収納ボックス３０の前面を開口する。
昇降ケース２０に収納された収納ボックス３０を下端まで下降させた状態で、収納ボックス３０の前面が開口するため、斜め下方にスライド移動させないで使用するようにすることもできる。【００２０】  以上述べたように、本発明の第４の実施の形態の昇降引出し式戸棚は、昇降ケース２０が下降したとき、垂直方向にスライドして昇降ケース２０に収納された収納ボックス３０の前面を開口するため、収納ボックス３０を下端まで下降させた状態でも使用することができ、ユーザの要望に応じた形態で使用することができる。【００２１】  なお、本発明の第４の実施の形態の昇降引出し式戸棚は、昇降ケース２０が下降したとき、垂直方向にスライドして昇降ケース２０に収納された収納ボックス３０の前面を開口するスライド扉８１を設けたが、これに限定することなく、レバー機構などにより前方に開口する扉を設けるようにすることもできる。
【実施例５】
【００２２】  図７は、本発明の第５の実施の形態の昇降引出し式戸棚の分解斜視図を示し、図７（ａ）は、戸棚ケースに収納される昇降ケースの斜視図を示し、図７（ｂ）は、昇降ケースに収納される収納ボックスの斜視図を示す。
図７（ａ）に示すように、昇降ケース２０は、下側が開口した断面がコの字形状のブラケット３３がそれぞれの側面側の上面に取付けられ、昇降ケース２０の上面のブラケット３３の下側の部分は開口している。図７（ｂ）に示すように、収納ボックス３０は、平面形状のブラケット３２がそれぞれの側面側の上面に取付けられ、それぞれのブラケット３２の外側には斜め下方に向けスライダ３４が取付けられている。
収納ボックス３０は、ブラケット３２に取付けられたスライダ３４が、昇降ケース２０のコの字形状のブラケット３３の内側に取付けられることにより、昇降ケース２０の内側に取付けられ、スライダ３４によりガイドされ矢印Ｚに示すように斜め下方にスライドすることができる。
昇降ケース２０には、それぞれの側面側に斜め下方に向け横溝３５ａが形成され、また、収納ボックス３０には、横溝３５ａの中をスライド可能のガイドピン３５ｂが固定されており、収納ボックス３０が昇降ケース２０の内側に取付けられるとき、横溝３５ａに沿ってガイドピン３５ｂが移動することにより、収納ボックス３０はより円滑に斜め下方にスライドすることができる。
本発明の第５の実施の形態の昇降引出し式戸棚は、スライダ３４が昇降ケース２０と収納ボックス３０の上方に取り付けられて、収納ボックス３０が昇降ケース２０の内側に取付けられ、円滑に斜め下方にスライドすることができ、また、前面からみたとき、スライダ３４は見え難く、外見上の見かけを良くすることもできる。
なお、本発明の実施の形態の昇降引出し式戸棚は、流し台の上方に設けられる例につき説明したが、これに限定することなく、他の棚類についての同様のことを行うことができる。
さらに、本発明の実施の形態の昇降引出し式戸棚は、駆動機構５０、６０、７０、およびスライド扉駆動機構８０にベルトを使用することとしたが、ワイヤなどを使用することもできる。
【図面の簡単な説明】
【００２３】
【図１】  本発明の第１の実施の形態の昇降引出し式戸棚の分解斜視図を示し、図１（ａ）は、戸棚ケースの斜視図を示し、図１（ｂ）は、戸棚ケースに収納される昇降ケースの斜視図を示し、図１（ｃ）は、昇降ケースに収納される収納ボックスの斜視図を示す。
【図２】  本発明の第１の実施の形態の昇降引出し式戸棚に設けられる駆動機構の斜視図を示す。
【図３】  本発明の第１の実施の形態の昇降引出し式戸棚の駆動機構の動作図を示し、図３（ａ）は、戸棚ケースに昇降ケースと収納ボックスが上方に収納されたときを示し、図３（ｂ）は、昇降ケースが下降したときを示し、図３（ｃ）は、収納ボックスが斜め下方にスライド移動し外側に引出されたときを示す。
【図４】  本発明の第２の実施の形態の昇降引出し式戸棚に設けられる駆動機構の斜視図を示す。
【図５】  図５は、本発明の第３の実施の形態の昇降引出し式戸棚に設けられる駆動機構の斜視図を示す。
【図６】  本発明の第４の実施の形態の昇降引出し式戸棚に設けられるスライド扉とスライド扉駆動機構の側面図を示す。
【図７】  本発明の第５の実施の形態の昇降引出し式戸棚の分解斜視図を示し、図７（ａ）は、戸棚ケースに収納される昇降ケースの斜視図を示し、図７（ｂ）は、昇降ケースに収納される収納ボックスの斜視図を示す。
【符号の説明】
【００２４】  １０  戸棚ケース
２０  昇降ケース
２０ａ  ベルト挿通穴
２１、３１、３４  スライダ
３０  収納ボックス
４１、４２、４４、８４  ベルト
５０、６０、７０  駆動機構
５１、６１、７１  駆動モータ
５２  巻取りローラ
５３、５４、５５、５６、８２  ガイドローラ
４３、４５、５７  ピン
５８、６８、７８  回転軸
５９  操作スイッチ
８０  スライド扉駆動機構
８１  スライド扉
【図１】
2007050218.tif 000003
【図２】
2007050218.tif 000004
【図３】
2007050218.tif 000005
【図４】
2007050218.tif 000006
【図５】
2007050218.tif 000007
【図６】
2007050218.tif 000008
【図７】
2007050218.tif 000009